(57)【要約】携帯電話機の制御部は、視野角が変更可能であるメイン表示部の表示を制御する。制御部は、メイン表示部の視野角情報を取得する視野角取得部と、該視野角取得部が取得した視野角情報を表示するようにメイン表示部の画像表示部の制御する視野角表示制御部とを備える。視野角情報は、視野角を変更する視野角変更部を制御する視野角制御部から取得できる。視野角情報は、操作部が視野角の変更操作を行うことにより取得してもよいし、アプリケーション実行部が所定のアプリケーションを実行することにより取得してもよい。これにより、ユーザが表示デバイスの表示画面を正面から見た状態で、表示デバイスの視野角の状態を把握することができる。【特許請求の範囲】
【請求項１】
視野角が変更可能である表示デバイスの表示を制御する表示制御デバイスであって、
上記表示デバイスの視野角に関する情報である視野角情報を取得する視野角情報取得手段と、
該視野角情報取得手段が取得した視野角情報を表示するように表示デバイスを制御する視野角情報表示制御手段とを備えることを特徴とする表示制御デバイス。
【請求項２】
上記視野角情報表示制御手段は、上記視野角情報が所定の条件である場合に上記視野角情報を表示し、その他の場合に上記視野角情報を表示しないように表示デバイスを制御することを特徴とする請求項１に記載の表示制御デバイス。
【請求項３】
上記表示デバイスは、広い視野角のモードと狭い視野角のモードとに変更可能であり、
上記視野角情報表示制御手段は、一方の視野角のモードである場合に上記視野角情報を表示し、他方の視野角のモードである場合に上記視野角情報を表示しないように上記表示デバイスを制御することを特徴とする請求項２に記載の表示制御デバイス。
【請求項４】
上記表示デバイスの視野角を制御する視野角制御手段をさらに備えており、
上記視野角情報取得手段は、上記視野角制御手段から上記視野角情報を取得することを特徴とする請求項１に記載の表示制御デバイス。
【請求項５】
上記視野角制御手段は、アプリケーションプログラムの実行に連動して視野角を制御しており、
上記視野角情報取得手段は、実行中のアプリケーションプログラムから上記視野角情報を取得することを特徴とする請求項４に記載の表示制御デバイス。
【請求項６】
ユーザの操作を受け付ける操作手段をさらに備えており、
上記視野角情報取得手段は、上記操作手段が受け付けた視野角の変更指示から視野角情報を取得することを特徴とする請求項１に記載の表示制御デバイス。
【請求項７】
上記視野角情報表示制御手段は、上記視野角情報を文字列で表示するように上記表示デバイスを制御することを特徴とする請求項１に記載の表示制御デバイス。
【請求項８】
上記視野角情報表示制御手段は、上記視野角情報をアイコンで表示するように上記表示デバイスを制御することを特徴とする請求項１に記載の表示制御デバイス。
【請求項９】
上記視野角情報表示制御手段は、上記表示デバイスを制御して、上記アイコンの表示形態を変化させることにより、上記視野角情報を表現することを特徴とする請求項８に記載の表示制御デバイス。
【請求項１０】
視野角が変更可能である表示デバイスと、該表示デバイスの表示を制御する請求項１ないし９の何れか１項に記載の表示制御デバイスとを備えることを特徴とする表示装置。
【請求項１１】
携帯型であることを特徴とする請求項１０に記載の表示装置。
【請求項１２】
視野角が変更可能である表示デバイスの表示を制御する表示制御方法であって、
上記表示デバイスの視野角に関する情報である視野角情報を取得する視野角情報取得ステップと、
視野角情報を表示するように表示デバイスを制御する視野角情報表示制御ステップとを含むことを特徴とする表示デバイスの表示制御方法。
【請求項１３】
請求項１ないし９の何れか１項に記載の表示制御デバイスを動作させるための表示制御プログラムであって、コンピュータを上記視野角情報取得手段および上記視野角情報表示制御手段として機能させるための表示制御プログラム。
【請求項１４】
請求項１３に記載の表示制御プログラムが記録されたコンピュータ読取り可能な記録媒体。
【発明の詳細な説明】
【技術分野】
【０００１】  本発明は、視野角が変更可能である表示デバイスの表示を制御する表示制御デバイス、表示装置、表示デバイスの制御方法、表示制御プログラム、および該プログラムを記録した記録媒体に関するものである。
【背景技術】
【０００２】  従来から、携帯電話機、ＰＤＡ（Ｐｅｒｓｏｎａｌ  Ｄｉｇｉｔａｌ  Ａｓｓｉｓｔａｎｔ）などの携帯機器のディスプレイとして液晶ディスプレイ（ＬＣＤ）が広く利用されている。ＬＣＤは、ＣＲＴ（Ｃａｔｈｏｄｅ  Ｒａｙ  Ｔｕｂｅ）、プラズマディスプレイなどに比べて、視野角が狭いことが欠点とされてきたが、近時のＬＣＤ技術の進歩により、視野角の広角化が進められている。【０００３】  しかしながら、上記携帯機器は、電車やバスの車内などにおいて混雑した状況で利用すると、上記携帯機器の表示画面に表示された内容が周囲の人に覗き見される虞がある。特に、電子メールの作成および閲覧を行う場合には、その内容が周囲の人に覗き見されることはプライバシー上好ましくない。【０００４】  この問題に対応して、視野角を制御できるＬＣＤが提案されている（例えば、特許文献１〜４参照）。このようなＬＣＤでは、通常の広視野角モードと、視野角の狭い狭視野角モードとの何れか一方から他方に切り替え可能となっている。なお、狭視野角モードとは、ユーザのいる表示画面真正面からは通常どおりの表示画像が視認でき、斜め方向からは無地画像または別の画像が見えるモードである。【０００５】  例えば、特許文献１（日本国公開特許公報「特開平９−１０５９５８号公報（公開日：１９９７年４月２２日）」）に記載の視野角可変素子は、一対の基板の間の液晶層が、基板に対して垂直方向に液晶分子が配向することで狭視野角となり、平行方向に配向することで広視野角となっている。また、特許文献２（日本国公開特許公報「特開２００４−６２０９４号公報（公開日：２００４年２月２６日）」）に記載の携帯端末装置は、２枚のガラス板の間の液晶の配向を変更することにより、情報表示手段の視野角を変更している。【０００６】  さらに、表示装置をいくつかの区画に分け、それぞれの区画で液晶配向方向等を異ならせることで、狭視野角モードにおいて、正面以外の方向から表示画面を見た場合に、表示画面に表示されたものとは異なる別の画像が視認できるようにする構成のものもある。例えば、特許文献３（日本国公開特許公報「特開２００１−２６４７６８号公報（公開日：２００１年９月２６日）」）には、液晶層を挟む配向膜が複数の領域に区画され、隣接する前記領域の配向方向が異なる液晶表示装置が記載されている。また、特許文献４（日本国公開特許公報「特開２００４−３８０３５号公報（公開日：２００４年２月５日）」）には、視角方向が異なる第１の液晶セルと第２の液晶セルとを交互に配する液晶表示装置が記載されている。【０００７】  さらに、特許文献２に記載の携帯端末装置は、実行中のアプリケーションの種類に応じて視野角を制御している。これにより、使用状況に応じて自動的に視野角を変更することができる。【０００８】  上述のように、ユーザのいる表示画面真正面では、広視野角モードおよび狭視野角モードの何れであっても、通常どおりの表示画像が視認されるので、視野角が変化したか否かを判断することが困難である。このため、ユーザは、本当に視野角が制御されてプライバシーが守られているか否か不安になる。特に、特許文献２に記載の携帯端末装置のように、アプリケーションに応じて視野��が自動的に変化する場合には、ユーザが主体的に視野角を変更するのではないので、上記不安が増大することになる。【０００９】  また、ユーザが移動するか或いは表示画面を傾けることにより、ユーザが表示画面を斜めから見れば、視野角の状態を把握できる。しかしながら、この場合、ユーザが表示画面の斜め方向に位置するので、表示画面真正面に他人が存在する虞があり、視野角を制御する意味が無くなる。
【発明の開示】
【００１０】  本発明は、上記の問題点に鑑みてなされたものであり、その目的は、ユーザが表示デバイスの表示画面を正面から見た状態で、視野角の状態を把握できる表示制御デバイス、表示装置、表示デバイスの制御方法、表示制御プログラム、および該プログラムを記録した記録媒体を提供することにある。
【００１１】  上記の課題を解決するために、本発明に係る表示制御デバイスは、視野角が変更可能である表示デバイスの表示を制御する表示制御デバイスであって、上記表示デバイスの視野角に関する情報である視野角情報を取得する視野角取得部と、該視野角取得部が取得した視野角情報を表示するように表示デバイスの制御する視野角表示制御部とを備えて構成されている。
【００１２】  本発明に係る表示デバイスの表示制御方法は、視野角が変更可能である表示デバイスの表示を制御する表示制御方法であって、上記表示デバイスの視野角に関する情報である視野角情報を取得する視野角情報取得ステップと、視野角情報を表示するように表示デバイスを制御する視野角情報表示制御ステップとを含む。
【００１３】  ここで、視野角情報は、実際の視野角でもよいし、視野角が広い、狭いといった視野角の程度を示す情報でもよい。また、視野角情報を表示するときの表示形態としては、文字列での表示、アイコンでの表示、表示画面の上端部、下端部、または隅部での表示、表示画面の中央部で他の画像と重畳して表示、動画表示など、任意の表示形態を選択できる。
【００１４】  上記の構成によると、視野角取得部が取得した表示デバイスの視野角情報が、視野角表示制御部の制御により、表示デバイスに表示される。
【００１５】  したがって、ユーザは、表示デバイスの表示画面を正面から見た状態で、視野角の状態を把握できる。この結果、ユーザは、電子メールの作成・閲覧などのプライバシーに関わる処理を安心して行うことができる。また、視野角の状態を把握するために、ユーザが移動するか或いは表示画面を傾ける必要がなくなる。
【００１６】  本発明のさらに他の目的、特徴、および優れた点は、以下に示す記載によって十分わかるであろう。また、本発明の利益は、添付図面を参照した次の説明で明白になるであろう。
【図面の簡単な説明】
【００１７】
【図１】本発明の一実施形態である携帯電話機の制御部およびメイン表示部の概略構成を示すブロック図である。
【図２】上記携帯電話機を開いた状態での外観を示す正面図である。
【図３】上記携帯電話機が広視野角モードに設定されているときに、正面あるいは斜め方向から視認される表示画面を示す図である。
【図４】上記携帯電話機が狭視野角モードに設定されているときに、正面あるいは斜め方向から視認される表示画面を示す図である。
【図５】上記携帯電話機の概略構成を示すブロック図である。
【図６】上記制御部にて実行される視野角情報の表示処理の流れを示すフローチャートである。
【図７（ａ）】視野角情報が文字列で表示された表示画面の例を示す正面図であり、広視野角モードでの表示画面を示している。
【図７（ｂ）】視野角情報が文字列で表示された表示画面の例を示す正面図であり、狭視野角モードでの表示画面を示している。
【図８（ａ）】視野角情報がアイコンで表示された表示画面の例を示す正面図であり、広視野角モードでの表示画面を示している。
【図８（ｂ）】視野角情報がアイコンで表示された表示画面の例を示す正面図であり、狭視野角モードでの表示画面を示している。
【図９（ａ）】視野角情報が狭視野角モードでのみ文字列で表示された表示画面の例を示す正面図であり、広視野角モードでの表示画面を示している。
【図９（ｂ）】視野角情報が狭視野角モードでのみ文字列で表示された表示画面の例を示す正面図であり、狭視野角モードでの表示画面を示している。
【図１０（ａ）】視野角情報が狭視野角モードでのみアイコンで表示された表示画面の例を示す正面図であり、広視野角モードでの表示画面を示している。
【図１０（ｂ）】視野角情報が狭視野角モードでのみアイコンで表示された表示画面の例を示す正面図であり、狭視野角モードでの表示画面を示している。
【図１１（ａ）】視野角情報が広視野角モードでのみ文字列で表示された表示画面の例を示す正面図であり、広視野角モードでの表示画面を示している。
【図１１（ｂ）】視野角情報が広視野角モードでのみ文字列で表示された表示画面の例を示す正面図であり、狭視野角モードでの表示画面を示している。
【図１２（ａ）】視野角情報が広視野角モードでのみアイコンで表示された表示画面の例を示す正面図であり、広視野角モードでの表示画面を示している。
【図１２（ｂ）】視野角情報が広視野角モードでのみアイコンで表示された表示画面の例を示す正面図であり、狭視野角モードでの表示画面を示している。
【図１３（ａ）】視野角情報を動画のアイコンで表示した状態を示す図であり、扇形が徐々に開くように動画表示されることを示している。
【図１３（ｂ）】視野角情報を動画のアイコンで表示した状態を示す図であり、扇形が徐々に閉じるように動画表示されることを示している。
【図１４（ａ）】視野角情報の例として別のアイコンを示す図であり、広視野角モードでの表示状態を示している。
【図１４（ｂ）】視野角情報の例として別のアイコンを示す図であり、中位の視野角モードでの表示状態を示している。
【図１４（ｃ）】視野角情報の例として別のアイコンを示す図であり、狭視野角モードでの表示状態を示している。
【図１５（ａ）】視野角情報の例として他のアイコンを示す図であり、広視野角モードでの表示状態を示している。
【図１５（ｂ）】視野角情報の例として他のアイコンを示す図であり、狭視野角モードでの表示状態を示している。
【発明を実施するための最良の形態】
【００１８】  以下、本発明の一実施形態について図１ないし図１３に基づいて説明する。【００１９】  図２は、本発明の一実施形態である携帯電話機（表示装置）１の外観を示している。本実施形態の携帯電話機１は、いわゆるクラムシェル型であり、同図に開いた状態で示されている。同図は、携帯電話機１を閉じたときに内側となる部分であり、携帯電話機１を開いたときにユーザが主に利用する側である。そこで、本願では同図に示される側を前面側とする。【００２０】  図２に示すように、携帯電話機１は、本体２と、蓋体３とからなり、本体２と蓋体３とはヒンジ状に連結している。蓋体３には、前面側にメイン画面４が設けられている。なお、同図には示していないが、背面側にサブ画面が設けられており、蓋体３内にはアンテナが設けられている。【００２１】  本体２には、前面側にメイン操作ボタン群６が設けられている。メイン操作ボタン群６は、携帯電話機１における各種設定や機能切替を行うための機能ボタン群７と、数字や文字などの記号を入力するための入力ボタン群８とから構成されている。具体的には、機能ボタン群７は、携帯電話の電源のＯＮ／ＯＦＦを切替る電源ボタン、撮影モードを起動させるカメラボタン、メールモードを起動させるメールボタン、選択対象を上下左右方向に移動させるための十字ボタン、該十字ボタンの中央に配置されており種々の選択を決定する決定ボタンなどを含んでいる。また、入力ボタン群８は、テンキーである。【００２２】  本実施形態の携帯電話機１は、メイン画面４の視野角を制御して、広視野角モードおよび狭視野角モードの何れか一方から他方に切り替える機能を有する。広視野角モードおよび狭視野角モードは、ユーザが、操作ボタンを用いて任意に設定変更できるし、また、電子メールソフトウェアなどのアプリケーションソフトウェア（以下、「アプリケーション」と略称する。）に連動して自動的に設定変更できる。なお、視野角を変更する構造としては、種々のものが知られており、例えば上記特許文献１・３・４に記載されているので、その説明を省略する。【００２３】  さらに、本実施形態の携帯電話機１は、図２に示されるように、視野角の状態を示す視野角情報６０をメイン画面４に表示している。これにより、ユーザは、メイン画面４を正面から見るのみで視野角の状態を容易に判断することができる。この結果、ユーザは、電子メールの作成・閲覧などのプライバシーに関わる処理を安心して行うことができる。また、視野角の状態を把握するために、ユーザが移動するか或いはメイン画面４を傾ける必要がない。【００２４】  図３は、広視野角モードに設定されているときに、メイン画面４の正面方向にいる人３１が見る画像と、メイン画面４の斜め方向にいる人３２・３３が見る画像とを示している。また、図４は、狭視野角モードに設定されているときに、メイン画面４の正面方向にいる人３１が見る画像と、メイン画面４の斜め方向にいる人３２・３３が見る画像とを示している。【００２５】  図３に示されるように、広視野角モードでは、メイン画面４を真正面から見た場合も（正面方位）、正面よりメイン画面４に向かって右側となる斜め前から見た場合も（右側面方位）、正面よりメイン画面４に向��って左側となる斜め前から見た場合も（左側面方位）、メイン画面４の画像が視認される。このとき、メイン画面４には、広視野角であることを示す視野角情報６０ｗが表示される。【００２６】  一方、図４に示されるように、狭視野角モードでは、正面方位ではメイン画面４の画像が視認されるが、右側面方位あるいは左側面方位からは、黒い表示または別の画像が視認されるのみであり、メイン画面４の画像が視認されない。このとき、メイン画面４には、狭視野角であることを示す視野角情報６０ｎが表示される。【００２７】  次に、携帯電話機１の詳細な構成について図１および図５に基づいて説明する。図５は、携帯電話機１の概略構成を示している。携帯電話機１は、アンテナ部１０、無線処理部１１、音声処理部１２、音声入力部１３、音声出力部１４、データ処理部１５、操作部（操作手段）１６、記憶部１７、メイン表示部（表示デバイス）１８、サブ表示部１９、電源部２０、および制御部（表示制御デバイス）２１を備える構成である。【００２８】  アンテナ部１０は、電波を外部に送り出すとともに外部から電波を受け取るためのものである。具体的には、アンテナ部１０は、８００ＭＨｚ帯または１．５ＧＨｚ帯の携帯電話機用電波を送受するためのものである。【００２９】  無線処理部１１は、音声処理部１２またはデータ処理部１５から受信したデータを無線送信に適した形式に変換し、変換した無線信号をアンテナ部１０を介して外部に送信するものである。また、無線処理部１１は、外部からアンテナ部１０を介して受信した無線信号を元の形式に変換し、変換したデータを音声処理部１２またはデータ処理部１５に送信するものである。具体的には、無線処理部１１では、チャネルコーデック処理、ベースバンド信号処理、データの変復調処理、ＲＦ（Ｒａｄｉｏ  Ｆｒｅｑｕｅｎｃｙ）の処理などが行われる。【００３０】  音声処理部１２は、音声入力部１３からの音声信号を所定の音声データに変換して無線処理部１１に送信するとともに、無線処理部１１からの音声データを音声信号に変換して音声出力部１４に送信するものである。具体的には、音声処理部１２は、Ａ／Ｄ変換器、Ｄ／Ａ変換器、アンプ、音声コーデック回路を備える構成である。【００３１】  音声入力部１３は、外部から入力された音波を、電気信号である音声信号に変換して音声処理部１２に送信するものである。具体的には、音声入力部１３はマイクロホンを備える構成である。【００３２】  音声出力部１４は、音声処理部１２からの音声信号を音波に変換して外部に出力するものである。具体的には、音声出力部１４は、スピーカやイヤホンを備える構成である。通常、携帯電話機１では、通話を行う場合にはイヤホンが利用され、着信の報知を行う場合にはスピーカが利用される。【００３３】  なお、電話機の場合、音声入力部１３に入力するユーザの音声が音声出力部１４から聞こえることが望ましい。このため、音声処理部１２は、音声入力部１３からの音声信号を所定の音量レベルに調整した後、音声出力部１４に送信することが望ましい。【００３４】  データ処理部１５は、制御部２１からのデータを所定形式のデータに符号化して無線処理部１１に送信するとともに、無線処理部１１からのデータを復号化して制御部２１に送信するものである。データ処理部１５で行われるデータの符号化／復号化（コーデック）方式の例としては、ＭＰＥＧ（Ｍｏｖｉｎｇ  Ｐｉｃｔｕｒｅ  Ｅｘｐｅｒｔｓ  Ｇｒｏｕｐ）−４、およびＩＴＵ−Ｔ勧告Ｈ．２６３が挙げられる。【００３５】  操作部１６は、携帯電話機１の表面に設けられたメイン操作ボタン群６などの入力デバイスをユーザが操作することにより、操作データを作成して制御部２１に送信するものである。入力デバイスとしては、ボタンスイッチの他にタッチパネルなどが挙げられる。本実施形態では、操作部１６は、所定のボタンをユーザが操作することにより、視野角の変更を指示する操作データを作成し、制御部２１に送信する。【００３６】  記憶部１７は、各種データおよびプログラムを記憶するものである。記憶部１７の例としては、制御部２１が動作する際に必要なプログラム、通信制御データ等の固定データを記憶する読出し専用の半導体メモリであるＲＯＭ（Ｒｅａｄ  Ｏｎｌｙ  Ｍｅｍｏｒｙ）と、バーコード認識や通信に関するデータ、演算に使用するデータ及び演算結果等を一時的に記憶するいわゆるワーキングメモリとしてのＲＡＭ（Ｒａｎｄｏｍ  Ａｃｃｅｓｓ  Ｍｅｍｏｒｙ）とが挙げられる。【００３７】  メイン表示部１８およびサブ表示部１９は、制御部２１から画像データを受信し、受信した画像データに基づいて画像を表示するものである。具体的には、メイン表示部１８およびサブ表示部１９は、ＰＤＰ（Ｐｌａｓｍａ  Ｄｉｓｐｌａｙ  Ｐａｎｅｌ）、ＬＣＤ、ＥＬ（Ｅｌｅｃｔｒｏｌｕｍｉｎｅｓｃｅｎｃｅ）ディスプレイなどの表示素子と、受信した画像データに基づいて表示素子を駆動するドライバ回路とを備える構成である。なお、画像には、絵や図形の他、文字も含まれ、また、静止画および動画も含まれる。【００３８】  本実施形態では、メイン表示部１８は、制御部２１から視野角制御データを受信し、受信した視野角制御データに基づいて視野角を変更する機能を有するものである。なお、サブ表示部１９が視野角を変更する機能を有しても良い。【００３９】  電源部２０は、携帯電話機１内の各種構成に適当な電力を供給するものである。電源部２０は、例えば、リチウムイオン電池などの充電可能な２次電池、電源回路などによって構成される。【００４０】  制御部２１は、携帯電話機１内の各種構成を統括的に制御するものである。制御部２１の機能は、例えばＲＡＭやフラッシュメモリなどの記憶装置に記憶されたプログラムをＣＰＵ（Ｃｅｎｔｒａｌ  Ｐｒｏｃｅｓｓｉｎｇ  Ｕｎｉｔ）が実行することによって実現される。【００４１】  図１は、メイン表示部１８および制御部２１の概略構成を示している。図示のように、メイン表示部１８は、画像表示部５０および視野角変更部５１を備える構成である。上述のように、画像表示部５０は、制御部２１からの画像データに基づいて画像を表示するものである。視野角変更部５１は、画像表示部５０における視野角を変更するものである。【００４２】  制御部２１は、アプリケーション実行部４０、視野角指示取得部（視野角情報取得手段）４１、視野角制御部（視野角制御手段）４２、視野角取得部（視野角情報取得手段）４３���視野角表示制御部（視野角情報表示制御手段）４４、および画像表示制御部４５を備える構成である。【００４３】  アプリケーション実行部４０は、電子メールソフトウェア、画像閲覧ソフトウェアなどの各種のアプリケーションを実行するものである。アプリケーション実行部４０は、実行中のアプリケーション情報を視野角指示取得部４１に通知する。【００４４】  視野角指示取得部４１は、操作部１６から視野角の変更を指示する操作データを受信すると、視野角の状態を変更する視野角指示データを作成するものである。また、視野角指示取得部４１は、所定のアプリケーションに対応する視野角の状態の情報を保持しており、アプリケーション実行部４０から受け取った実行中のアプリケーション情報を参照して、所定のアプリケーションが実行されていると、対応する視野角の状態を指示する視野角指示データを作成するものである。【００４５】  視野角指示取得部４１は、作成した視野角指示データを視野角制御部４２および視野角取得部４３に送信する。なお、視野角指示取得部４１は、操作部１６およびアプリケーション実行部４０以外にも、各種デバイスまたは各種ブロックからの情報に基づいて、視野角の状態を指示する視野角指示データを作成して、視野角制御部４２および視野角取得部４３に送信しても良い。【００４６】  視野角制御部４２は、視野角指示取得部４１から受信した視野角指示データに基づいて、視野角変更部５１を制御するものである。具体的には、視野角制御部４２は、視野角の状態を変更する視野角指示データを受信すると、視野角の状態を変更するように視野角変更部５１を制御する。また、視野角制御部４２は、現在の視野角の状態を保持しており、受信した視野角指示データの視野角の状態が、現在の視野角の状態と異なる場合には、視野角指示データの視野角の状態に変更するように視野角変更部５１を制御する。また、視野角制御部４２は、現在の視野角の状態を示す視野角状態データを視野角取得部４３に送信している。【００４７】  なお、視野角の状態は、実際の視野角の角度で表してもよいし、視野角が広い、狭い、中位といった視野角の程度で表してもよい。本実施形態では、視野角の状態は、視野角が広い広視野角と、視野角が狭い狭視野角で表している。【００４８】  視野角取得部４３は、視野角制御部４２から視野角状態データを受信することにより、現在の視野角の状態を取得するものである。また、視野角取得部４３は、視野角指示取得部４１から受信した視野角指示データに基づいて、現在の視野角の状態を予測することもできる。視野角取得部４３は、取得した現在の視野角の状態を示す視野角データを視野角表示制御部４４に送信する。【００４９】  視野角表示制御部４４は、視野角取得部４３から受信した視野角データに基づいて、画像表示制御部４５を介して画面表示部５０を制御し、視野角の状態の表示を制御するものである。なお、視野角の状態を表示する表示形態や表示条件については後述する。【００５０】  画像表示制御部４５は、各種デバイスまたは制御部２１内の各種ブロックから受信した画像データに基づいて、画像表示部５０を制御し、メイン画面４の表示を制御するものである。なお、図２などに示されるように、メイン画面４には、視野角情報６０だけでなく、バッテリの状態を示すアイコン、電波状態を示すアイコン、電子メールの文章など、各種の画像を表示する必要がある。このため、画像表示制御部４５は、公知のスーパインポーズ技術を利用して、各種画像を合成し、合成した画像をメイン画面４に表示するように画像表示部５０を制御している。このように、視野角情報６０をメイン画面４に表示するために、画像表示部５０を特別な構成にする必要はない。【００５１】  なお、現在の視野角の状態は、視野角制御部４２が保持しているから、視野角取得部４３は、視野角情報を視野角制御部４２からのみ取得してもよい。この場合、視野角指示取得部４１からの視野角情報の取得を省略することができる。【００５２】  上記構成の携帯電話機１における処理動作について図６に基づいて説明する。図６は、メイン表示部１８が視野角の状態を表示するように制御部２１が制御する処理動作を示している。【００５３】  図６に示されるように、まず、操作部１６にて視野角変更の操作が行われたか否かを視野角指示取得部４１が判断する（ステップＳ１０（以下「Ｓ１０」と略称することがある。他のステップについても同様である。））。視野角変更の操作が行われていない場合には（Ｓ１０にてＮＯ）、所定のアプリケーションが実行されているか否かを視野角指示取得部４１が判断する（Ｓ１１）。【００５４】  視野角変更の操作が行われた場合（Ｓ１０にてＹＥＳ）、或いは、所定のアプリケーションが実行されている場合には（Ｓ１１にてＹＥＳ）、視野角制御部４２の制御により、視野角変更部５１が視野角の状態を変更する（Ｓ１２）。一方、所定のアプリケーションが実行されていない場合には（Ｓ１１にてＮＯ）、視野角取得部４３は、視野角制御部４２から受信した現在の視野角の状態を参照して、その他の条件により視野角が変更されたか否かを判断する（Ｓ１３）。視野角の状態が変更されていない場合には（Ｓ１３でＮＯ）、最初のステップＳ１０に戻って、上記動作を繰り返す。【００５５】  ステップＳ１２にて視野角の状態を変更した後、または、ステップＳ１３にて視野角が変更された場合には（Ｓ１３にてＹＥＳ）、視野角取得部４３が、変更した視野角の状態を取得し（Ｓ１４）、取得した視野角の状態に基づいて、視野角表示制御部４４が、画像表示部５０における視野角の状態の情報の表示を制御する（Ｓ１５）。その後、最初のステップＳ１０に戻って、上記動作を繰り返す。【００５６】  次に、メイン表示部１８に表示される視野角情報６０の例について、図７〜図１５に基づいて説明する。図７〜図１２に関して、分図（ａ）は広視野角モードでの表示画面を示しており、分図（ｂ）は狭視野角モードでの表示画面を示している。【００５７】  また、図７、図９、および図１１では、視野角情報６０が、「広視野角」および「狭視野角」の様に文字列で表示され、図８、図１０、および図１２では、視野角情報６０が、広い扇形および狭い扇形の様にアイコンで表示されている。このように、視野角情報６０は、文字列、アイコンなどの各種表示形態で表示することができる。特に、視野角情報６０は、ユーザが迅速に認識し易い表示形態で表示することが好まし���。【００５８】  また、図７および図８では、広視野角モードで広視野角の視野角情報６０ｗが表示され、狭視野角モードで狭視野角の視野角情報６０ｎが表示される。したがって、ユーザは、表示画面を見るのみで、現在の視野角の状態が広視野角モードであるか狭視野角モードであるかを容易に判断することができる。【００５９】  一方、図９および図１０では、広視野角モードで視野角情報６０が表示されないが、狭視野角モードで狭視野角の視野角情報６０ｎが表示される。この場合、ユーザは、表示画面に視野角情報６０が表示されないことにより、現在の視野角の状態が広視野角モードであることを容易に判断することができる。また、例えば、広視野角モードが通常の視野角モードであり、狭視野角モードが、メール作成時などの特別な視野角モードである場合、狭視野角モードでのみ視野角情報６０ｎを表示すると、ユーザは、特別な視野角モードであることが判断でき、メール作成などの処理を安心して行うことができる。【００６０】  反対に、図１１および図１２では、広視野角モードで広視野角の視野角情報６０ｗが表示されるが、狭視野角モードでは視野角情報６０が表示されない。この場合、ユーザは、表示画面に視野角情報６０が表示されないことにより、現在の視野角の状態が狭視野角モードであることを容易に判断することができる。また、例えば、広視野角モードが通常の視野角モードであり、狭視野角モードが、メール作成時などの特別な視野角モードである場合、広視野角モードでのみ視野角情報６０ｗを表示すると、ユーザは、特別な視野角モードではないことが判断でき、メール作成などの処理を行うときの警告メッセージとして受け取ることができる。したがって、この場合には、視野角情報６０ｗは、点滅したり赤色で表示されたりすることが望ましい。【００６１】  図１３（ａ）（ｂ）は、視野角情報６０を動画のアイコンで表示した状態を示している。同図（ａ）は、扇形が徐々に開くように動画表示されることを示しており、同図（ｂ）は、扇形が徐々に閉じるように動画表示されることを示している。この場合、狭視野角モードでは、同図（ａ）の左側２図または同図（ｂ）の右側２図が狭視野角の視野角情報６０ｎとして利用され、広視野角モードでは、同図（ａ）の全４図または同図（ｂ）の全４図が広視野角の視野角情報６０ｗとして利用される。【００６２】  このように、視野角情報６０を動画で表示することもできる。この場合、静止画で表示する場合に比べて、ユーザに視野角情報６０を喚起することができる。なお、ユーザが動画表示に煩わしさを感じる場合に対応するため、操作部１６での操作または表示設定において、図１３に示されるような動画表示と、図８に示されるような静止画表示とが切り替えられることが望ましい。【００６３】  図１４（ａ）〜（ｃ）は、視野角情報６０の例として別のアイコンを示しており、図８などに示される扇形のアイコンを上下反対に表示したアイコンを示している。より具体的には、図８などに示される扇形のアイコンは、下部が要となり上部が広がった形状となっているが、図１４（ａ）〜（ｃ）に示される扇形のアイコンは、上部が要となり下部が広がった形状となっている。この場合、ユーザは、メ���ン画面４正面から側方へ、どの程度移動すれば表示画面が見えなくなるかを直感的に判断することができる。【００６４】  図１４（ａ）は広視野角モードでのアイコン６０ｗを示しており、同図（ｃ）は狭視野角モードでのアイコン６０ｎを示している。また、同図（ｂ）は視野角が広くもなく狭くもない中位の視野角モードでのアイコン６０を示している。この視野角モードは、ユーザを含む２・３人で表示画面を見る場合に好適である。このように、視野角変更部５１が設定できる視野角の数に応じて、３つ以上または連続的な視野角のモードを設けることができる。【００６５】  図１５（ａ）・（ｂ）は、視野角情報６０の例として他のアイコンを示している。図示のアイコン６０は、Ｕ字形である。同図（ａ）は広視野角モードでのアイコン６０ｗを示しており、同図（ｂ）は狭視野角モードでのアイコン６０ｎを示している。広視野角モードのアイコン６０ｗでは、Ｕ字形全体が表示され、狭視野角モードのアイコン６０ｎでは、Ｕ字形の中央部のみが表示される。このように、図８などで示されるように視野角に応じて扇形の角度が変化する代わりに、図１５に示されるように視野角に応じて長さが変化するアイコンを利用してもよい。なお、図示の例ではＵ字形のアイコンを利用したが、横長の長方形のアイコンを利用してもよい。【００６６】  以上のように、ユーザが視野角の程度を容易に判断できるものであれば、文字、図形など任意の記号を利用でき、さらに記号の大きさ、形状、色などを自由に選択することができる。【００６７】  本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。【００６８】  例えば、上記実施形態では、携帯電話機１に本発明を適用した場合について説明している。しかしながら、本発明はそれに留まるものではなく、視野角の制御機能を有する表示装置を有するものであれば、ＰＨＳ（Ｐｅｒｓｏｎａｌ  Ｈａｎｄｙ−ｐｈｏｎｅ  Ｓｙｓｔｅｍ）、ＰＤＡ、モバイルＰＣ（Ｐｅｒｓｏｎａｌ  Ｃｏｍｐｕｔｅｒ）、ポータブルＤＶＤ（Ｄｉｇｉｔａｌ  Ｖｅｒｓａｔｉｌｅ  Ｄｉｓｋ）などの任意の携帯用電子機器に適用することができる。或いは、据置き型のディスプレイに適用してもよい。【００６９】  また、図７〜図１２では、視野角情報６０は、表示画面４の上端中央部に表示しているが、表示画面４の下端部または隅部に表示してもよく、表示画面の中央部に他の画像と重畳して表示してもよい。このように、視野角情報６０は、表示画面４の任意の位置に表示することができる。【００７０】  また、上記実施形態では、広視野角または狭視野角といった、離散的な視野角情報の表示を行っているが、視野角を連続的に変更できる表示デバイスを利用する場合には、視野角自体を表示したり、扇形のアイコンで角度を連続的に変化させて表示したりするなど、連続的な視野角情報の表示を行うことができる。【００７１】  また、携帯電話機１の各ブロック、特に制御部２１は、ハードウェアロジックによって構成してもよいし、次のようにＣＰＵを用いてソフトウェアによ��て実現してもよい。【００７２】  すなわち、携帯電話機１は、各機能を実現する制御プログラムの命令を実行するＣＰＵ、上記プログラムを格納したＲＯＭ、上記プログラムを展開するＲＡＭ、上記プログラムおよび各種データを格納するメモリ等の記憶装置（記録媒体）などを備えている。そして、本発明の目的は、上述した機能を実現するソフトウェアである携帯電話機１の制御プログラムのプログラムコード（実行形式プログラム、中間コードプログラム、ソースプログラム）をコンピュータで読み取り可能に記録した記録媒体を、上記携帯電話機１に供給し、そのコンピュータ（またはＣＰＵやＭＰＵ）が記録媒体に記録されているプログラムコードを読み出し実行することによっても、達成可能である。【００７３】  上記記録媒体としては、例えば、磁気テープやカセットテープ等のテープ系、フレキシブルディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。【００７４】  また、携帯電話機１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（ｖｉｒｔｕａｌ  ｐｒｉｖａｔｅ  ｎｅｔｗｏｒｋ）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された搬送波あるいはデータ信号列の形態でも実現され得る。【００７５】  本発明に係る表示制御デバイスは、視野角が変更可能である表示デバイスの表示を制御する表示制御デバイスであって、上記表示デバイスの視野角に関する情報である視野角情報を取得する視野角情報取得手段と、該視野角情報取得手段が取得した視野角情報を表示するように表示デバイスの制御する視野角情報表示制御手段とを備えて構成されていてもよい。【００７６】  ここで、視野角情報は、実際の視野角でもよいし、視野角が広い、狭いといった視野角の程度を示す情報でもよい。また、視野角情報を表示するときの表示形態としては、文字列での表示、アイコンでの表示、表示画面の上端部、下端部、または隅部での表示、表示画面の中央部で他の画像と重畳して表示、動画表示など、任意の表示形態を選択できる。【００７７】  上記の構成によると、視野角情報取得手段が取得した表示デバイスの視野角情報が、視野角情報表示制御手段の制御により、表示デバイスに表示される。したがって、ユーザは、表示デバイスの表示画面を正面から見た状���で、視野角の状態を把握できる。この結果、ユーザは、電子メールの作成・閲覧などのプライバシーに関わる処理を安心して行うことができる。また、視野角の状態を把握するために、ユーザが移動するか或いは表示画面を傾ける必要がなくなる。【００７８】  本発明に係る表示制御デバイスでは、上記視野角情報表示制御手段は、上記視野角情報が所定の条件である場合に上記視野角情報を表示し、その他の場合に上記視野角情報を表示しないように表示デバイスを制御してもよい。この場合、ユーザは、視野角情報が表示されないことにより、視野角情報が所定の条件ではないことを理解でき、視野角の状態を把握することができる。例えば、上記表示デバイスが、広い視野角のモードと狭い視野角のモードとに変更可能である場合、上記視野角情報表示制御手段は、一方の視野角のモードである場合に上記視野角情報を表示し、他方の視野角のモードである場合に上記視野角情報を表示しないように上記表示デバイスを制御してもよい。【００７９】  本発明に係る表示制御デバイスは、上記表示デバイスの視野角を制御する視野角制御手段をさらに備えており、上記視野角情報取得手段は、上記視野角制御手段から上記視野角情報を取得することが好ましい。この場合、視野角制御手段から現在の正確な視野角情報を取得できるので、現在の正確な視野角情報を表示デバイスに表示させることができる。【００８０】  本発明に係る表示制御デバイスでは、上記視野角制御手段は、アプリケーションプログラムの実行に連動して視野角を制御しており、上記視野角情報取得手段は、実行中のアプリケーションプログラムから上記視野角情報を取得してもよい。【００８１】  本発明に係る表示制御デバイスでは、ユーザの操作を受け付ける操作手段をさらに備えており、上記視野角情報取得手段は、上記操作手段が受け付けた視野角の変更指示から視野角情報を取得してもよい。【００８２】  本発明に係る表示制御デバイスでは、上記視野角情報表示制御手段は、上記視野角情報を文字列で表示するように上記表示デバイスを制御してもよい。また、本発明に係る表示制御デバイスでは、上記視野角情報表示制御手段は、上記視野角情報をアイコンで表示するように上記表示デバイスを制御してもよい。特に、視野角情報をアイコンで表示する場合には、アイコンの形状を変化させたり、アイコンの色を変化させたりするなど、アイコンの表示形態を変化させることにより、上記視野角情報を表現することが好ましい。【００８３】  また、視野角が変更可能である表示デバイスと、該表示デバイスの表示を制御する上記構成の表示制御デバイスとを備える表示装置でも、上述の作用効果を得ることができる。特に、表示装置が携帯型である場合には効果的である。【００８４】  本発明に係る表示デバイスの表示制御方法は、視野角が変更可能である表示デバイスの表示を制御する表示制御方法であって、上記表示デバイスの視野角に関する情報である視野角情報を取得する視野角情報取得ステップと、視野角情報を表示するように表示デバイスを制御する視野角情報表示制御ステップとを含む方法であってもよい。【００８５】  上記の方法によると、視野角情報取得ステップにて取得された表示デバイスの視野角情報が、視野角情報表示制御ステップにて、表示デバイスに表示されるように制御される。したがって、ユーザは、表示デバイスの表示画面を正面から見た状態で、視野角の状態を把握できる。この結果、ユーザは、電子メールの作成・閲覧などのプライバシーに関わる処理を安心して行うことができる。また、視野角の状態を把握するために、ユーザが移動するか或いは表示画面を傾ける必要がなくなる。【００８６】  なお、上記表示制御デバイスにおける視野角情報取得手段および視野角情報表示制御手段を、表示制御プログラムによりコンピュータ上で実行させることができる。さらに、上記表示制御プログラムをコンピュータ読取り可能な記録媒体に記憶させることにより、任意のコンピュータ上で上記表示制御プログラムを実行させることができる。【００８７】  発明の詳細な説明の項においてなされた具体的な実施態様または実施例は、あくまでも、本発明の技術内容を明らかにするものであって、そのような具体例にのみ限定して狭義に解釈されるべきものではなく、本発明の精神と特許請求事項との範囲内で、いろいろと変更して実施することができるものである。
【産業上の利用可能性】
【００８８】  本発明に係る表示制御デバイスは、表示デバイスの視野角情報を表示デバイスに表示するので、携帯型に限らず、視野角を制御する機能を有する任意の表示装置に対して適用できる。
【図１】
2006025340.tif 000002
【図２】
2006025340.tif 000003
【図３】
2006025340.tif 000004
【図４】
2006025340.tif 000005
【図５】
2006025340.tif 000006
【図６】
2006025340.tif 000007
【図７（ａ）】
2006025340.tif 000008
【図７（ｂ）】
2006025340.tif 000009
【図８（ａ）】
2006025340.tif 000010
【図８（ｂ）】
2006025340.tif 000011
【図９（ａ）】
2006025340.tif 000012
【図９（ｂ）】
2006025340.tif 000013
【図１０（ａ）】
2006025340.tif 000014
【図１０（ｂ）】
2006025340.tif 000015
【図１１（ａ）】
2006025340.tif 000016
【図１１（ｂ）】
2006025340.tif 000017
【図１２（ａ）】
2006025340.tif 000018
【図１２（ｂ）】
2006025340.tif 000019
【図１３（ａ）】
2006025340.tif 000020
【図１３（ｂ）】
2006025340.tif 000021
【図１４（ａ）】
2006025340.tif 000022
【図１４（ｂ）】
2006025340.tif 000023
【図１４（ｃ）】
2006025340.tif 000024
【図１５（ａ）】
2006025340.tif 000025
【図１５（ｂ）】
2006025340.tif 000026
【国際調査報告】
2006025340.tif 000027
2006025340.tif 000028
2006025340.tif 000029
2006025340.tif 000030